(57)【特許請求の範囲】
【請求項１】
上部に主刃（４）を有する本体ケース（１）の上部側面に、上下スライド操作可能にきわ剃りユニット（５）を装着し、きわ剃りユニット（５）に備えたきわ剃り刃（４１）の刃先近くに位置してこれを保護するガード体（４５）を備えた電気かみそりにおいて、
前記きわ剃りユニット（５）は、その上端に備えたきわ剃り刃（４１）が本体ケース１の主刃（４）よりも下方に位置する格納位置と、きわ剃り刃（４１）が主刃（４）の側部に接近する高さに突出するコンビネーション剃り用の第１使用位置と、きわ剃り刃（４１）が主刃（４）よりも高く突出する独立きわ剃り用の第２使用位置との少なくとも３段階にスライド変位可能に構成しており、
前記ガード体（４５）は、きわ剃りユニット（５）に所定範囲で上下スライド自在に装備されていて、刃先保護位置である上限位置までばね（６１）によって持ち上げ付勢されており、
きわ剃りユニット（５）が格納位置から第１使用位置に移動する間は、ガード体（４５）は前記上限位置に保持された状態できわ剃りユニット（５）と一体に移動し、
きわ剃りユニット（５）が前記第１使用位置にある状態では、ガード体（４５）が本体ケース（１）側に当接してばね（６１）を抗して下動はできるがそれ以上の上方移動が阻止されており、
きわ剃りユニット（５）を第１使用位置から第２使用位置へ移動させる際には、ガード体（４５）を残してきわ剃りユニット（５）のみが前記ばね（６１）に抗して上方へ移動して、ガード体（４５）がきわ剃り刃（４１）の刃先から下方に離間するように構成してあることを特徴とする電気かみそり。
【請求項２】
前記ガード体（４５）の上端部に櫛歯（６２）を備えてある請求項１記載の電気かみそり。
【発明の詳細な説明】
【０００１】
【発明の属する技術分野】
本発明は、上部に主刃を有する本体ケースの上部側面に、上下スライド操作可能にきわ剃りユニットを装着し、きわ剃りユニットに備えたきわ剃り刃の刃先近くに位置してガード作用するガード体を備えた電気かみそりに関する。
【０００２】
【従来の技術】
この種の電気かみそりとして、例えば特開昭６０−８５７８２号公報に開示されているものが知られている。この電気かみそりは、スイッチボタンを上下４段階にスライド操作可能に構成し、スイッチボタンが最下段の第１段位置にあると（公報第７図参照）、本体ケースの上部側面に備えたきわ剃りユニットが下方位置に保持された状態で電源が切られ、１段押し上げた第２段位置に操作すると（公報第８図参照）、きわ剃りユニットが下方位置に保持された状態で電源が入れられて主刃のみが駆動され、更に１段押し上げて第３段位置に操作すると（公報第９図参照）、きわ剃りユニットが下方位置に保持された状態できわ剃り刃が主刃とともに駆動され、最上段の第４段位置に操作すると（公報第１０図参照）、スイッチボタンによってきわ剃りユニットが押し上げられて上方に突出するよう構成されている。
【０００３】
かかる電気かみそりによれば、第２段位置では主刃のみを使用しての「髭剃り」を行うことができ、第３段位置ではきわ剃り刃で長毛やくせ毛を切断しながら主刃で最終的な剃り落としを行う「コンビネーション剃り」を行うことができ、また、第４段位置ではきわ剃りユニットと共に上方に突出したきわ剃り刃のみを用る「きわ剃り」を行うことができる。
【０００４】
また、きわ剃りユニットが下方位置に保持された状態においてきわ剃り刃の刃先近くに位置するガード体を本体ケースに備え、非使用時にきわ剃り刃の刃先が他物に接触して損傷するのを防止するとともに、上記「コンビネーション剃り」を行う際にガード体の先端部で長毛やくせ毛を揃えてきわ剃り刃の刃先に案内することができ、また、「きわ剃り」時にはガード体に対してきわ剃りユニットのきわ剃り刃が上方に離間して、ガード体に邪魔されることなくもみあげの剃り落としを容易に行える。
【０００５】
【発明が解決しようとする課題】
しかるに、上記従来構造の電気かみそりでは、主刃のみを用いての「髭剃り」、きわ剃り刃と主刃を用いての「コンビネーション剃り」、および、きわ剃り刃のみを用いての「きわ剃り」を任意に選択することができるとともに、ガード体の導入により非使用時におけるきわ剃り刃の刃先保護、およびコンビネーション剃りにおける長毛やくせ毛の案内を行うことができる特徴を有するが、以下の点で更に改良の余地があった。
【０００６】
すなわち、上記従来構造においては、きわ剃りユニットが２段階に上下スライド可能に構成され、下段位置が非使用位置、主刃のみを用いての髭剃り位置、およびコンビネーション剃り位置であり、上段位置がきわ剃り位置となっており、かつ、「コンビネーション剃り」を行うためにはきわ剃り刃が主刃の側部に近くあることが望ましいので、きわ剃り刃が主刃より少し低く位置するようにきわ剃りユニットの下段位置での高さが設定されている。しかし、下段位置にあるきわ剃りユニットは主刃の側部近くに位置しており、主刃のみを用いての「髭剃り」を行う際に、主刃の側部近くにあるきわ剃りユニットが肌に当たって邪魔になりやすかった。
【０００７】
本発明は、このような点に着目してなされたものであって、主刃のみを用いての「髭剃り」、きわ剃り刃と主刃を用いての「コンビネーション剃り」、および、きわ剃り刃のみを用いての「きわ剃り」を任意に選択することができるとともに、ガード体の導入によって非使用時におけるきわ剃り刃の刃先保護、およびコンビネーション剃りにおける長毛やくせ毛の案内を行うことができるものでありながら、主刃のみを用いての「髭剃り」時にきわ剃りユニットが邪魔になることがないようにすることを目的としている。
【０００８】
【課題を解決するための手段】
本発明の電気かみそりは、上部に主刃４を有する本体ケース１の上部側面に、上下スライド操作可能にきわ剃りユニット５を装着し、きわ剃りユニット５に備えたきわ剃り刃４１の刃先近くに位置してこれを保護するガード体４５を備える。
かかる電気かみそりにおいて、請求項１に係る発明では、前記きわ剃りユニット５が、その上端に備えたきわ剃り刃４１が本体ケース１の主刃４よりも下方に位置する格納位置と、きわ剃り刃４１が主刃４の側部に接近する高さに突出するコンビネーション剃り用の第１使用位置と、きわ剃り刃４１が主刃４よりも高く突出する独立きわ剃り用の第２使用位置との少なくとも３段階にスライド変位可能に構成される。そして前記ガード体４５はきわ剃りユニット５に所定範囲で相対上下移動可能に装着し、きわ剃りユニット５が格納位置から第１使用位置に移動する間は、ガード体４５を刃先保護作用位置である上限位置に保持した状態できわ剃りユニット５と一体に移動させ、きわ剃りユニット５を第１使用位置から第２使用位置へ移動させる際にはガード体４５を残してきわ剃りユニット５のみが上方へ移動して、ガード体４５がきわ剃り刃４１の刃先から下方に離間するように構成してある。
【０００９】
請求項２に係る発明は、請求項１に係る発明において、前記ガード体４５の上端部に櫛歯６２を備える。
【００１０】
請求項３に係る発明は、請求項１又は２に係る発明において、前記ガード体４５は上限位置までばね６１によって持ち上げ付勢し、きわ剃りユニット５が前記第１使用位置にある状態では、ガード体４５が本体ケース１側に当接してそれ以上の上方移動が阻止され、きわ剃りユニット５が第１使用位置から第２使用位置へ移動されることによって、ガード体４５が前記ばね６１に抗してきわ剃りユニット５に対して下方に相対移動されるよう構成する。
【００１１】
【作用】
請求項１に係る発明によれば、主刃４を用いて「髭剃り」を行う際、きわ剃りユニット５は最下段の格納位置にあるので、きわ剃りユニット５の上部が主刃４から大きく下方に離れた位置にあり、きわ剃りユニット５が邪魔になることなく、本体ケース１を自由な向きに操作しながら「髭剃り」を行うことができる。この場合、ガード体４５はその移動範囲の上限位置にあってきわ剃り刃４１の刃先を保護する。
【００１２】
きわ剃りユニット５を格納位置から１段押し上げて第１使用位置にして「コンビネーション剃り」を行う場合には、きわ剃りユニット５の上部が主刃４の側部に接近するので、本体ケース１を大きく傾けなくても主刃４およびきわ剃り刃４１を共に肌に接触させて、きわ剃り刃４１による長毛、くせ毛のカットから主刃４による仕上げ剃りまでを連続して行うことができる。この際、ガード体４５はきわ剃りユニット５と一体に移動してきわ剃り刃４１の刃先近くに位置保持されているので、きわ剃り刃４１を肌に押し当てる際、ガード体４５により刃先が直接肌に触れることを阻止して、きわ剃り刃４１の刃先で肌に痛感を与えることがなく、また使用者に対し恐怖感を与えることもない。さらにガード体４５によって長毛やくせ毛をきわ剃り刃４１の刃先へ円滑に案内する。
【００１３】
きわ剃りユニット５を第１使用位置から更に１段押し上げて第２使用位置にして「きわ剃り」を行う場合には、きわ剃りユニット５が主刃４よりも大きく突出することになり、きわ剃り刃４１を任意の姿勢で肌に接触させることができ、また使用者がきわ剃り刃４１の刃先付近を見やすくなる。この際、ガード体４５は第１使用位置に残されてきわ剃りユニット５のみが上方に移動するので、きわ剃り刃４１がガード体４５より上方に離れた位置で使用されることになり、ガード体４５が「きわ剃り」の邪魔になることがない。
【００１４】
請求項２に係る発明によると、きわ剃り刃４１と主刃４を用いての「コンビネーション剃り」を行う時、きわ剃り刃４１の刃先近くに位置するガード体４５の櫛歯６２を用いてくせ毛や長毛を梳き揃える機能が一層高いものとなり、「コンビネーション剃り」を一層良好に行うことができる。
【００１５】
請求項３に係る発明によると、きわ剃りユニット５が下限の格納位置、および、１段上の第１使用位置にある間は、ガード体４５はきわ剃りユニット５に対する上下動範囲の上限に付勢保持され、この間のきわ剃りユニット５の上下動に対しては一体移動する。そして、きわ剃りユニット５が第１使用位置から上限の第２使用位置に移動する時には、本体ケース側に当接するガード体４５はそれ以上の上方への移動が阻止されて、きわ剃りユニット５のみが移動し、ガード体４５はきわ剃りユニット５に対して相対的に下方に移動してきわ剃り刃４１の刃先から下方に離れることになる。
【００１６】
【発明の実施の形態】
図１ないし図４に示すように、この発明に係る電気かみそりは、本体ケース１の上部にロータリ式の内刃２と網目状の外刃３とからなる主刃４を備えるとともに、本体ケース１の裏面上部に上下スライド可能なきわ剃りユニット５を備えた構造となっており、前記外刃３は本体ケース１に脱着自在な外刃ケース６に保持されている。そして、本体ケース１の表面には上下スライド操作される電源入り切り用のスイッチボタン７が装備されるとともに、本体ケース１の下端には充電用のプラグ８が設けられている。
本体ケース１は、プラスチック製の前ケース１ａと後ケース１ｂを突き合わせて一体的にねじ結合されており、この本体ケース１内の上部に、前記内刃２、モータ１０、モータ出力を内刃２に伝達するギヤ伝動機構１１などを装備した内刃ユニット１２が、上下変位可能に組付けられている。
【００１７】
この点について詳述すると、図５に示すように、前記内刃ユニット１２には、下面にモータ１０を縦向き姿勢でねじ止め支持したモータ取付け台１３が備えられ、このモータ取付け台１３の左右上面にねじ止め立設された一対の軸受けシャーシ１４の上部に前記内刃２が水平に軸支されている。軸受けシャーシ１４の上下中間部位に水平に支架された中間回転軸１５とモータ出力軸１０ａとが出力ギヤ１６およびフェイスギヤ１７を介して連動されるとともに、中間回転軸１５と内刃２とが一方の軸受けシャーシ１４の外側に配備した前記ギヤ伝動機構１１を介して連動される。
【００１８】
図８および図９に示すように、モータ取付け台１３の前面および後面に突設された左右一対ずつの突起１８ａ・１８ｂが、前ケース１ａおよび後ケース１ｂの内面に形成された上下案内溝１９ａ・１９ｂにそれぞれ係入され、内刃ユニット１２全体が上下に平行移動可能に案内支持されるとともに、モータ取付け台１３の左右下面に作用するばね２０によって内刃ユニット１２全体が上方に押し上げ付勢され、もって、内刃２が外刃３の内面に押圧摺接されるようになっている。なお、図５に示すごとく本体ケース１上端の内刃ユニット突出部位にはゴムシール２１が嵌着されて、本体ケース１内への毛くずの侵入が阻止されている。モータ取付け台１３の上面には、きわ剃り刃駆動用の振動子２２が支点軸２３まわりに揺動可能に装備されるとともに、この振動子２２がモータ出力軸１０ａに備えた偏心カム２４に係合され、モータ駆動に伴って内刃２が一定方向に回転駆動されるとともに、振動子２２が一定ストロークで往復揺動駆動されるようになっている。
【００１９】
図４および図５に示すように、本体ケース１内には、モータ駆動回路および充電回路が形成された前後２枚のプリント基板２５ａ・２５ｂが収納されるとともに、両プリント基板２５ａ・２５ｂの間に２本の充電式の電池２６がやや傾斜した姿勢で保持されている。本体ケース１上部の左右側面には外方に向けて突出ばね付勢された係合片２７が装備され、この係合片２７が本体ケース１の上部に外嵌装着された外刃ケース６の左右内面に係合して外刃ケース６の装着状態が保持されるとともに、外刃ケース６の左右に装着した取外し用ボタン２８を押し込み操作して係合片２７を内方に後退変位させることで、外刃ケース６との係合を解除して本体ケース１から取り外すことができる。
【００２０】
本体ケース１の表面に装備したモータオンオフ用のスイッチボタン７は、下方のオフ位置においてケース内で係合ロックされて上方への操作が不能になっていて、不用意にスイッチボタン７がモータオン位置に操作されることが防止される。そして、図３に示すごとくスイッチボタン７にはロック解除ボタン２９が設けられており、このロック解除ボタン２９を押し込み操作することでケース内での係合を解除してスイッチボタン７を上方のオン位置にスライド操作することができるよう構成され、また、図１３に示すように、本体ケース１の上部には、装着された外刃ケース６の内面とに当接によって押し込み操作される安全スイッチ３０が揺動出退自在かつ突出付勢して設けられている。この安全スイッチ３０からは下方に向けて作動片３０ａが延出されており、安全スイッチ３０が突出揺動すると作動片３０ａが内方に揺動変位し、スイッチボタン７に連結されてケース内で上下動するスイッチ板７ａの上端に干渉し、安全スイッチ３０が退入揺動すると作動片３０ａが外方に揺動変位し、スイッチ板７ａの上端から外れるようになっている、従って、外刃ケース６が正しく装着されて安全スイッチ３０が押し込み操作されている状態でのみスイッチボタン７をオン位置にスライド操作でき、外刃ケース６が取外されて内刃２が露出している状態ではモータ起動操作をすることができない。
【００２１】
図２および図１４に示すように、薄い金属プレートからなる前記外刃３は、その前後両端が中抜きの矩形枠状の外刃ホルダ３１の前後辺にかしめ連結されて所定の屈曲形状に保持され、この外刃ホルダ３１が外刃ケース６に内方から脱着されるようになっている。そして、外刃３には短孔群が網目状に配列された毛導入孔３２が内刃摺接範囲Ａに亘って形成されるとともに、この毛導入孔３２の内刃回転方向上手側に位置する箇所には、周方向に沿って多数の長孔３３が左右に並列形成されている。そしてこの長孔３３の内刃回転方向下手側での端部が内刃摺接範囲Ａの内刃回転方向上手側での端部に少し重複されている。
【００２２】
図６、図１３および図１７に示すように、前記きわ剃りユニット５は、上端部にきわ剃り刃４１を備えたきわ剃り刃支持台４２と、これに外側から嵌合装着される操作ケース４３と、きわ剃り刃支持台４２に内側から嵌合装着される内カバー４４、およびきわ剃り刃支持台４２と操作ケース４３との間に装着されるプレート状のガード体４５とを一体的に組み合わせてなる。
きわ剃り刃４１は、固定刃４１ａとこれの下面に摺接して左右動する可動刃４１ｂとからなり、固定刃４１ａはきわ剃り刃支持台４２の上端に係合連結された上カバー４６の下面に位置固定され、また、可動刃４１ｂは左右動可能に案内支持されるとともに、上カバー４６に固定されるきわ剃り支持板４０に一体に切り起こし形成された押上げばね４０ａにより固定刃４１ａの下面に押し付け付勢されている。また、可動刃４１ｂの下面には係合片４９が突設され、きわ剃り刃支持台４２の内面に支点軸５０を介して枢支連結された駆動子５１の上端に係合片４９が係合連結されるとともに、この駆動子５１の下端に設けた駆動ピン５１ａが、後ケース１ｂの開口５２を貫通して本体ケース１内に突入され、前記振動子２２に連設した縦溝係合部２２ａに係入され、振動子２２の振動に伴って駆動子５１が一定角度で往復揺動され、もって、可動刃４１ｂが一定ストロークで往復駆動される。なお、図６に示すごとく上カバー４６の上面には櫛部４６ａを形成している。
【００２３】
図１０ないし図１２において、きわ剃りユニット５の内面の左右からは上下２本ずつ係合爪５３が突出され、各係合爪５３が後ケース１ｂに形成された案内溝５４に係合され、きわ剃りユニット５が本体ケース１に対して案内溝５４の範囲内で上下スライド可能に係合支持されている。また、きわ剃り刃支持台４２の内面に位置決め片５５がピン５６を介して取り付けられるとともに、この位置決め片５５に備えた左右一対の係合アーム５５ａの先端が、後ケース１ｂに形成された左右の案内突起５７に段階状に弾性係合して、きわ剃りユニット５が上下方向の３箇所で位置決め保持されるようになっている。前記係合アーム５５ａはその間に介在したばね５８によって係合方向に拡張付勢されている。また、操作ケース４３の下端辺に形成した凹部５９と後ケース１ｂに形成した凸部６０とが係合されてきわ剃りユニット５が上方にスライドされた際の左右位置決めが確実に行われるようになっている。
【００２４】
図１２および図１３に示すように、前記ガード体４５はきわ剃り刃支持台４２と操作ケース４３との間において一定範囲で上下スライド自在に装備されるとともに、左右一対のばね６１によって上方に付勢されている。上限位置にあるガード体４５の上方に位置する上カバー４６はきわ剃り刃４１の上方をその刃先のみを露出させた状態で覆って、これを保護しており、かつ、ガード体４５の上端には櫛歯６２が形成されている。ガード体４５の内面に突設された左右一対のピン６３が内カバー４４の上下長孔６４を貫通して突出され、後ケース１ｂに形成された左右一対の長孔６５に係入されている。
【００２５】
本発明の電気かみそりは以上のように構成されており、主刃４のみを使用しての「髭剃り」、きわ剃り刃４１と主刃４を使用しての「コンビネーション剃り」、およびきわ剃り刃４１を用いての「きわ剃り」を選択して行うことができるものであり、以下その各使用形態について説明する。
【００２６】
〔髭剃り〕
通常の髭剃り時には、図１３に示すように、きわ剃りユニット５を最下限の格納位置まで下げておく。この状態では、きわ剃りユニット５から突出された駆動子５１の駆動ピン５１ａが振動子２２の縦溝係合部２２ａから下方に外れ、モータ１０の起動によって内刃２のみが駆動されることになり、主刃４のみを用いての髭剃りを行うことができる。この際、きわ剃りユニット５の上端は主刃４から大きく下方に離れた位置にあり、きわ剃りユニット５の上端が髭剃りの邪魔になることはない。また、きわ剃りユニット５を最下限の格納位置まで下げた状態では、図１６（ａ）に示すようにガード体４５のピン６３が後ケース１ｂの上下長孔６５の下部にあるため、ガード体４５の櫛歯６２がきわ剃り刃４１の刃先に近接対応した状態で動けないので、持ち運び時などにきわ剃り刃４１の刃先をガードすることができる。
【００２７】
〔コンビネーション剃り〕
顎下などの髭剃りには「コンビネーション剃り」を行う。この「コンビネーション剃り」においては、図１４に示すように、きわ剃りユニット５を格納位置より１段上方の第１使用位置にまで押し上げる。この状態では、きわ剃りユニット５から突出された駆動ピン５１ａが振動子２２の縦溝係合部２２ａに係入し、モータ１０の起動によって内刃２ときわ剃り刃４１の可動刃４１ｂが共に駆動されることになる。そして、この場合、きわ剃りユニット５が格納位置にある時、ガード体４５のピン６３は後ケース１ｂにおける上下長孔６５の下部にあるので、きわ剃りユニット５が格納位置から第１使用位置にまで移動する際、ガード体４５はきわ剃りユニット５と一体に上方に移動する。
【００２８】
このような状態で、主刃４ときわ剃りユニット５の上端部を共に肌に接触させながら本体ケース１をきわ剃りユニット５側に移動させてゆくと、先ずガード体４５の上端に設けた櫛歯６２が長毛やくせ毛を梳き揃えてきわ剃り刃４１に導き、次に、きわ剃り刃４１でおおよそ切断された長毛やくせ毛は主刃４における外刃３の長孔３３に導入されて内刃２で切断され、その後、網目状の毛導入孔３２に導入されて内刃２で最終的に切り落とされることになる。従って、きわ剃り刃４１による切断、外刃３の長孔３３を介した内刃２による切断、および、毛導入孔３２を介した内刃２による切断、の３段階の切断が連続的に行われ、顎下などにおける長毛やくせ毛が良好に切断される。なお、コンビネーション剃り時には、上カバー４６の櫛部４６ａが長毛やくせ毛をある程度梳いて整える作用をする。
【００２９】
この「コンビネーション剃り」の状態では、図１２に示すように、きわ剃り刃支持台４２の内面の位置決め片５５における係合アーム５５ａの先端が案内突起５７に形成された傾斜案内面Ｓに当接作用しており、肌との接触圧によってきわ剃りユニット５が下方に押圧されると、きわ剃りユニット５が上記第１使用位置から多少は弾性的に下降変位し、肌へのなじみの良い状態が得られる。また、このときは、図１６（ｂ）に示すごとくガード体４５のピン６３が後ケース１ｂの上下長孔６５内をばね６１に抗して下動可能であるので、きわ剃り刃４１の刃先とガード体４５の櫛歯６２との間に毛髪などの大量の毛がはさまっても、ガード体４５は下動できて引っ掛からず、又その毛を取り除きやすい。
【００３０】
〔きわ剃り〕
もみあげのきわ剃りを行う場合には、図１５に示すように、きわ剃りユニット５を第１使用位置より更に１段上方の第２使用位置にまで押し上げる。この状態では、きわ剃りユニット５から突出された駆動ピン５１ａが振動子２２の縦溝係合部２２ａの上部に係入維持され、モータ１０の起動によってきわ剃り刃４１が駆動されることになる。
【００３１】
この場合、図１６（ｂ）に示すように、前記第１使用位置におけるガード体４５のピン６３は後ケース１ｂにおける長孔６５の上端近くに達しているので、これ以上ガード体４５の上方への移動は阻止されることになり、きわ剃りユニット５を第１使用位置より更に１段上方の第２使用位置にまで押し上げ移動させると、図１６（ｃ）に示すように、長孔６５の上端とピン６３との当接によって上方への移動が阻止されたガード体４５はその位置に残され、ばね６１に抗しながらきわ剃りユニット５に対して相対的に下方に離れてゆく。つまり、きわ剃り刃４１が主刃４から大きく上方に離れるとともに、ガード体４５の櫛歯６２がきわ剃り刃４１の刃先から下方に離れ、きわ剃り刃４１を用いての「きわ剃り」が主刃４やガード体４５に邪魔されることなく容易に行える状態となる。
なお、上記実施例ではロータリ式電気かみそりについて説明するが、これに代えた往復動式電気かみそりなどにも同様に適用できることは言うまでもない。
【００３２】
【発明の効果】
請求項１に係る発明によれば、主刃４のみを用いての「髭剃り」、きわ剃り刃４１と主刃４を用いての「コンビネーション剃り」、および、きわ剃り刃４１のみを用いての「きわ剃り」を任意に選択することができるようにするにあたり、３段階のきわ剃りユニット移動と２段階のガード体移動を合理的に組み合わせることで、ガード体４５による非使用時におけるきわ剃り刃の刃先保護、およびコンビネーション剃りにおける刃先からの肌の保護や長毛、くせ毛の刃先への案内を行うことができるものでありながら、主刃４のみを用いての「髭剃り」をきわ剃り刃４１およびきわ剃りユニット５が邪魔になることなく円滑に行うことができ、かつ「きわ剃り」をガード体４５が邪魔になることなく円滑に行うことができる。
【００３３】
請求項２に係る発明によれば、請求項１に係る発明の上記効果をもたらすとともに、「コンビネーション剃り」時において、きわ剃り刃４１によるくせ毛や長毛の切断を良好に行うことができる。
【００３４】
請求項３に係る発明によれば、請求項１又は２に係る発明の上記効果をもたらすとともに、きわ剃りユニットの３段移動に対するガード体４５の限定された２段移動を部品少なく簡単な構造で実現することができる。
【図面の簡単な説明】
【図１】電気かみそりの全体前面図である。
【図２】電気かみそりの全体後面図である。
【図３】電気かみそりの全体側面図である。
【図４】全体の縦断側面図である。
【図５】電気かみそり上部の縦断正面図である。
【図６】電気かみそりの後方から見た全体斜視図である
【図７】きわ剃りユニットを外した状態での全体斜視図である
【図８】モータ取付け台の斜視図である。
【図９】モータ取付け台のケース内での平面図である。
【図１０】きわ剃りユニットの内面図である。
【図１１】きわ剃りユニットの内方から見た斜視図である。
【図１２】本体ケース上部の後面図である
【図１３】きわ剃りユニットが格納位置にある場合の要部の縦断側面図である。
【図１４】きわ剃りユニットが第１使用位置にある場合の要部の縦断側面図である
【図１５】きわ剃りユニットが第２使用位置にある場合の要部の縦断側面図である
【図１６】きわ剃りユニットの各位置に対するガード体の位置を示す説明図である
【図１７】きわ剃り刃支持台、操作ケース、内カバー、ガード体の分解斜視図である。
【符号の説明】
１  本体ケース
４  主刃
５  きわ剃りユニット
４５  ガード体
６１  ばね
６２  櫛歯
【図１】
0003741488.tif 000002
【図２】
0003741488.tif 000003
【図３】
0003741488.tif 000004
【図４】
0003741488.tif 000005
【図５】
0003741488.tif 000006
【図６】
0003741488.tif 000007
【図７】
0003741488.tif 000008
【図８】
0003741488.tif 000009
【図９】
0003741488.tif 000010
【図１０】
0003741488.tif 000011
【図１１】
0003741488.tif 000012
【図１２】
0003741488.tif 000013
【図１３】
0003741488.tif 000014
【図１４】
0003741488.tif 000015
【図１５】
0003741488.tif 000016
【図１６】
0003741488.tif 000017
【図１７】
0003741488.tif 000018